(57)【要約】【課題】収納時に手元操作パイプから延長パイプを分離して、分離した延長パイプと手元操作パイプを別々に起立させた掃除機本体に保持させるようにしても、手元操作パイプの高さを低くできると共に、手元操作パイプから塵埃が落下しないようにできる掃除機本体を提供すること。【解決手段】集塵室および該集塵室に吸込負圧を作用させる電動送風機３が設けられ且つ前記集塵室に連通する接続口７が前端部に設けられた掃除機本体１と、前記接続口７に一端部が接続された集塵ホース８と、前記集塵ホース８の他端部に一体に設けられた手元操作パイプ１２を備えている。しかも、収納時に前記掃除機本体１の前端部を上方に向けて起立させるようにしている。また、前記掃除機本体１の前端部側に係止部１１が設けられ、前記収納時に前記手元操作パイプ１２の先端開口を上方に向けて前記係止部１１に係止可能な被係止部１４が前記集塵ホース８の他端部側に設けられている。【選択図】図３
2007202831.tif 000002
【特許請求の範囲】
【請求項１】
集塵室および該集塵室に吸込負圧を作用させる電動送風機が設けられ且つ前記集塵室に連通する接続口が前端部に設けられた掃除機本体と、前記接続口に一端部が接続された集塵ホースと、前記集塵ホースの他端部に一体に設けられた手元操作パイプを備え、収納時に前記掃除機本体の前端部を上方に向けて起立させるようにした電気掃除機において、
前記掃除機本体の前端部側に係止部が設けられ、前記収納時に前記手元操作パイプの先端開口を上方に向けて前記係止部に係止可能な被係止部が前記集塵ホースの他端部側に設けられていることを特徴とする電気掃除機。
【請求項２】
請求項１に記載の電気掃除機において、前記集塵ホースの一端部には筒状の本体側ホースカバーが保持され、前記集塵ホースの他端部には筒状の手元側ホースカバーが保持されていると共に、前記係止部は本体側ホースカバーに設けることにより前記掃除機本体の前端部側に設けられ、前記被係止部は前記手元側ホースカバーに設けられていることを特徴とする電気掃除機。
【請求項３】
請求項２に記載の電気掃除機において、前記手元操作パイプは前記手元側ホースカバーに対して周方向に回転可能に設けられていることを特徴とする電気掃除機。
【発明の詳細な説明】
【技術分野】
【０００１】
この発明は、使用しない時に掃除機本体の前端部を上方に向けて起立させて収納するようにした電気掃除機に関するものである。
【背景技術】
【０００２】
従来の電気掃除機には、掃除機本体の前側に集塵室が設けられ、この集塵室に吸込負圧を作用させる電動送風機が掃除機本体の後部側に設けられ、掃除機本体の前端に集塵室に連通する接続口が設けられ、この接続口に集塵ホースの一端部が接続され、この集塵ホースの他端に手元操作パイプが設けられていると共に、この手元操作パイプに吸込口体が延長パイプを介して接続されたものが知られている。
【０００３】
このような電気掃除機には、収納時に掃除機本体の前端部を上方に向けて起立させると共に、集塵ホースを接続口に接続した状態で延長パイプを掃除機本体に起立させた状態で係止させるようにしたものが考えられている（例えば、特許文献１参照）。
【０００４】
しかしながら、このような電気掃除機では、延長パイプの長さが長く且つ延長パイプが伸縮できない構造であるため、収納時の手元操作パイプの高さが高くなり、例えば押し入れ等の収納高さが低い収納空間に電気掃除機の掃除機本体を起立させた状態で収納することができなかった。
【０００５】
また、延長パイプを伸縮できるようにした電気掃除機もあるが、延長パイプを収縮させても、延長パイプの長さを短くするには限度があった。このため、収納時に収縮させた延長パイプを起立させた状態で起立させた掃除機本体に係止させても、手元操作パイプは延長パイプに取り付けた状態であるので、延長パイプを収縮させても、依然として手元操作パイプの高さが押し入れ等の収納空間に収納するのは難しいものであった。
【０００６】
これを解決するために、吸込口体が取り付けられた延長パイプを手元操作パイプから分離して、収納時に収縮させた延長パイプを起立させた状態で起立させた掃除機本体に係止させると共に、手元操作パイプを先端開口が下方を向くように掃除機本体に係止させるようにした電気掃除機も知られている（例えば、特許文献２参照）
【特許文献１】特開２００２−２２４００４号公報
【特許文献２】特開２００１−２３８８３４号公報
【発明の開示】
【発明が解決しようとする課題】
【０００７】
しかしながら、この電気掃除機では、手元操作パイプの先端開口が下方を向いているために、手元操作パイプの内面に付着した塵埃等が下方に落下して、この塵埃が収納空間の床面等を汚す虞があった。
【０００８】
そこで、この発明は、収納時に手元操作パイプから延長パイプを分離して、分離した延長パイプと手元操作パイプを別々に起立させた掃除機本体に保持させるようにしても、手元操作パイプの高さを低くできると共に、手元操作パイプから塵埃が落下しないようにできる掃除機本体を提供することを目的とするものである。
【課題を解決するための手段】
【０００９】
この目的を達成するため、この発明は、集塵室および該集塵室に吸込負圧を作用させる電動送風機が設けられ且つ前記集塵室に連通する接続口が前端部に設けられた掃除機本体と、前記接続口に一端部が接続された集塵ホースと、前記集塵ホースの他端部に一体に設けられた手元操作パイプを備え、収納時に前記掃除機本体の前端部を上方に向けて起立させるようにした電気掃除機において、前記掃除機本体の前端部側に係止部が設けられ、前記収納時に前記手元操作パイプの先端開口を上方に向けて前記係止部に係止可能な被係止部が前記集塵ホースの他端部側に設けられている電気掃除機としたことを特徴とする。
【発明の効果】
【００１０】
この構成によれば、収納時に手元操作パイプから延長パイプを分離して、分離した延長パイプと手元操作パイプを別々に起立させた掃除機本体に保持させるようにしても、手元操作パイプの高さを低くできると共に、手元操作パイプの先端開口が上方を向いているので、手元操作パイプから塵埃が落下しないようにできる。
【発明を実施するための最良の形態】
【００１１】
以下、この発明の実施の形態を図面に基づいて説明する。
[構成]
図１において、１は電気掃除機の掃除機本体、２は掃除機本体１の前側に着脱可能に取り付けられた集塵容器（ダストカップ）である。また、掃除機本体１の後部内には、集塵容器２内の図示しない集塵室に吸込負圧を作用させる電動送風機３が配設されている。
【００１２】
また、図２に示したように、掃除機本体１の底面１ａの前部には左右方向の中央に位置させてキャスター４が前輪として取り付けられ、掃除機本体１の後部両側部には後輪５，５が取り付けられている。この掃除機本体１の底面１ａには、図２のキャスター４の側方に位置させて図５に示したような係止穴６が係止部として形成されている。しかも、掃除機本体１の前端部には図１に示したように前端面に開口し且つ集塵容器２の図示しない集塵室に連通する接続口７が形成されている。
【００１３】
更に、図１に示した集塵ホース８の一端部８ａには接続パイプ９が直列に接合固定され、この接続パイプ９と集塵ホース８の一端部８ａとの接合部８ａ１は筒状の本体側ホースカバー１０によりカバーされている。この本体側ホースカバー１０は、半円筒状の半割カバー部材１０ａ，１０ｂ同士を合わせて互いに固定することにより、筒状に形成したものである。尚、半割カバー部材１０ａ，１０ｂの固定は、ネジで行っても良いし、半割カバー部材１０ａ，１０ｂに係止爪を設けて、この係止爪で行っても良い。
【００１４】
この様な本体側ホースカバー１０は接続パイプ９に固定され、この本体側ホースカバー１０の半割カバー部材１０ａの周面には係止部１１が一体に設けられている。
【００１５】
この係止突部（係止部）１１は、図６，図７に示したように、本体側ホースカバー１０と一体で且つ接続パイプ９の延びる方向に延設された板状突部１１ａと、板状突部１１ａの先端に一体に形成されたフランジ１１ｂから断面がＴ字状に形成されている。この係止突部１１は、図１に示したように接続パイプ９を接続口７に着脱可能に接続した状態では、側方に突出している。
【００１６】
また、図１において、集塵ホース８の他端部８ｂには手元操作パイプ１２が直列に接合固定され、集塵ホース８の他端部８ｂと手元操作パイプ１２の一端部１２ａとの接合部８ｂ１は手元側ホースカバー１３により覆われている。この手元側ホースカバー１３は、半円筒状の半割カバー部材１３ａ，１３ｂ同士を合わせて互いに固定することにより、筒状に形成したものである。尚、半割カバー部材１３ａ，１３ｂの固定は、ネジで行っても良いし、半割カバー部材１３ａ，１３ｂに係止爪を設けて、この係止爪で行っても良い。
【００１７】
この手元操作パイプ１２は手元側ホースカバー１３に対して周方向に回転可能に設けられている。
【００１８】
この手元側ホースカバー１３の半割カバー部材１３ａの外周面には、集塵ホース８の延びる方向に延設された被係止突部（被係止部）１４が一体に形成されている。この被係止突部１４は、図８，図９に示したように断面形状がＴ字状の係合溝１４ａを有する。この係合溝１４ａは平面形状が図８に示したようにＵ字状に形成され、この係合溝１４ａのＵ字状の開放端は手元操作パイプ１２とは反対側に向けられている。
【００１９】
尚、図１において１５は手元操作パイプ１２に一体に設けられた取手で、この取手１５は手元側ホースカバー１３と略同方向に延設されている。この取手１５には電動送風機３のＯＮ・ＯＦＦ及びその吸込負圧の強弱の切り替えをさせる操作パネル１６が設けられている。この操作パネル１６には周知の構成を採用できるので、その詳細な説明は省略する。
【００２０】
また、手元操作パイプ１２の他端部１２ｂには延長パイプ（延長管）１７の一端部が着脱可能に接続され、この延長パイプ１７の他端部には吸込口体１８の接続パイプ１８ａが着脱可能に接続されている。尚、延長パイプ１７は、太パイプ（太管）１７ａ，中パイプ（中管）１７ｂ，細パイプ（細管）１７ｃから伸縮可能に構成されている。
【００２１】
また、吸込口体１８には吸込室（図示せず）が設けられ、この吸込室の吸込開口（図示せず）は吸込口体１８の底面に開口させられている。更に、延長パイプ１７の細パイプ１７ｃには、図１，図５に示したように係止フック１９が取り付けられている。
[作用]
次に、このような構成の電気掃除機の作用を説明する。
＜使用時＞
このような構成においては、操作パネル１６を操作して電動送風機３をＯＮさせ、電動送風機３を駆動させると、電動送風機３の吸込負圧が集塵容器２の集塵室（図示せず）に作用する。この吸込負圧は、集塵ホース８，手元操作パイプ１２，延長パイプ１７等を介して吸込口体１８の図示しない吸込室に作用する。
【００２２】
この吸込負圧により清掃面（図示せず）の塵埃は空気と共に吸込口体１８の吸込室（図示せず）に吸い込まれる。この吸込室に吸い込まれた空気は、塵埃と共に延長パイプ１７，手元操作パイプ１２，集塵ホース８を介して集塵容器２内の集塵室（図示せず）に吸い込まれた後、電動送風機３に吸い込まれる。この際、塵埃は集塵室（図示せず）に捕集される一方、電動送風機３に吸い込まれた空気は内部を冷却した後、図示しない排気口から掃除機本体１の後部内に排出され、掃除機本体１の図示しない排気孔から大気に排気される。
【００２３】
従って、通常の使用状態では、図２に示したキャスター４と後輪５とで掃除機本体１を図示しない清掃面上に移動可能に載置すると共に、作業者が取手１５を手で握って吸込口体１８を清掃面上に載置し、この吸込口体１８を前後に移動操作することにより、清掃面の塵埃が集塵容器２の集塵室（図示せず）に捕集されて、清掃面が清掃される。
＜収納時＞
ところで、このような電気掃除機を使用していないときには、図示しない収納床面上に電気掃除機を起立した状態で収納させる。即ち、電気掃除機の収納時には、掃除機本体１を図２〜図４に示したように掃除機本体１の接続口７を上に向けると共に、掃除機本体１をこれの後面１ｂと後輪４，４とで収納床面上に起立状態に載置する。
【００２４】
しかも、手元操作パイプ１２から延長パイプ１７を取り外して、延長パイプ１７を縮小させると共に、掃除機本体１の係止穴６に延長パイプ１７の係止フック１９を係止させ、延長パイプ１７を起立させる。この際、吸込口体１８を収納床面上に当接した状態とさせる。
【００２５】
また、本体側ホースカバー１０の係止突部１１を手元側ホースカバー１３の係合溝１４ａに挿入係合させて、係止突部１１のフランジ１１ｂを係合溝１４ａの上端の端壁１４ｂに当接させることにより、手元操作パイプ１２を本体側ホースカバー１０に係止させる。この際、手元操作パイプ１２は手元側ホースカバー１３に対して周方向に回転できるので、どの向きからでも係合溝１４ａを係止突部１１に合わせるのが容易となる。また、手元操作パイプ１２は手元側ホースカバー１３に対して周方向に回転できるので、手元側ホースカバー１３を本体側ホースカバー１０から取り外す場合でも、どの向きからでも容易に取り外すことができる。
【００２６】
この状態では、手元操作パイプ１２の先端１２ｃが上を向くと共に、手元操作パイプ１２の図示しない先端開口（延長パイプ接続口）が先端１２ｃに開口した状態で上方を向いているので、手元操作パイプ１２内の内壁面等に付着した塵埃が下方に落下するのを未然に回避できる。この結果、電気掃除機の収納時に手元操作パイプ１２内の塵埃等で収納床面が汚れることは未然に防止できる。
【００２７】
また、このような収納時には、手元操作パイプ１２の先端（上端）までの高さが低くくなっていると共に、延長パイプ１７が縮小させられて高さが低くなっている。しかも、収納時には、延長パイプ１７の上端と手元操作パイプ１２の先端（上端）とが略同じ高さとなっている。従って、例えば押入等の高さが低い収納空間内に収容する場合でも、電気掃除機を起立した状態で容易に収納できる。
【００２８】
以上説明したように、この発明の実施の形態の電気掃除機は、集塵室および該集塵室に吸込負圧を作用させる電動送風機３が設けられ且つ前記集塵室に連通する接続口７が前端部に設けられた掃除機本体１と、前記接続口７に一端部が接続された集塵ホース８と、前記集塵ホース８の他端部に一体に設けられた手元操作パイプ１２を備えている。しかも、収納時に前記掃除機本体１の前端部を上方に向けて起立させるようにしている。また、前記掃除機本体１の前端部側に係止部１１が設けられ、前記収納時に前記手元操作パイプ１２の先端開口を上方に向けて前記係止部１１に係止可能な被係止部１４が前記集塵ホース８の他端部側に設けられている。
【００２９】
この構成によれば、収納時に手元操作パイプ１２から延長パイプ１７を分離して、分離した延長パイプ１７と手元操作パイプ１２を別々に起立させた掃除機本体１の上部に保持させるようにしても、手元操作パイプ１２の高さを低くして、押入等の高さの低い収納空間に電気掃除機を起立させた状態で収納きる。しかも、手元操作パイプ１２の先端開口が上方を向いているので、手元操作パイプから塵埃が落下しないようにできる。
【００３０】
また、この発明の実施の形態の電気掃除機は、前記集塵ホース８の一端部には筒状の本体側ホースカバー１０が保持され、前記集塵ホース８の他端部には筒状の手元側ホースカバー１３が保持されていると共に、前記係止部１１は本体側ホースカバー１０に設けることにより前記掃除機本体１の前端部側に設けられ、前記被係止部１４は前記手元側ホースカバー１３に設けられている。
【００３１】
この構成によれば、集塵ホースの端部同士を合わせて、集塵ホースの手元操作パイプ側の端部を起立させた掃除機本体１上端部側に係止させることができるので、係止作業を容易に行うことができる。しかも、本体側ホースカバー１０や手元側ホースカバー１３は小さい部品であると共に構成が簡単であるので、係止部や被係止部を掃除機本体１や手元操作パイプ１２に射出成形等でそれぞれ設ける場合に比べて、本体側ホースカバー１０や手元側ホースカバー１３に係止部や被係止部をそれぞれ設けるのが容易である。
【００３２】
更に、この発明の実施の形態の電気掃除機は、手元操作パイプ１２は手元側ホースカバー１３に対して周方向に回転可能に設けられている。
【００３３】
この構成によれば、手元操作パイプ１２は手元側ホースカバー１３に対して周方向に回転できるので、どの向きからでも被係止部（被係止突部１４）を係止部（係止突部１１）に合わせるのが容易となる。また、手元操作パイプ１２は手元側ホースカバー１３に対して周方向に回転できるので、手元側ホースカバー１３を本体側ホースカバー１０から取り外す場合でも、どの向きからでも容易に取り外すことができる。
【図面の簡単な説明】
【００３４】
【図１】この発明の電気掃除機の概略斜視図である。
【図２】図１の電気掃除機の底面側を正面にして、電気掃除機の起立収納状態を示した斜視図である。
【図３】図１の電気掃除機の上面側を正面にして、電気掃除機の起立収納状態を示した斜視図である。
【図４】図１の電気掃除機の側面を正面にして、電気掃除機の起立収納状態を示した斜視図である。
【図５】図１の延長パイプを収納時の掃除機本体に係止させた状態を示す部分断面説明図である。
【図６】図１の本体側ホースカバーに設けた係止突部（係止部）の拡大説明図である。
【図７】図６のＡ１−Ａ１線に沿う断面図である。
【図８】図１の手元側ホースカバーに設けた被係止突部（被係止部）の拡大説明図である。
【図９】図８のＡ２−Ａ２線に沿う断面図である。
【図１０】図１の被係止突部を係止突部に係止させた状態を説明する断面図である。
【図１１】図１０のＡ３−Ａ３線に沿う断面図である。
【符号の説明】
【００３５】
１…掃除機本体
３…電動送風機
７…接続口
８…集塵ホース
１０…本体側ホースカバー
１１…係止突部（係止部）
１２…手元操作パイプ
１３…手元側ホースカバー
１４…被係止突部（被係止部）
【図１】
2007202831.tif 000003
【図２】
2007202831.tif 000004
【図３】
2007202831.tif 000005
【図４】
2007202831.tif 000006
【図５】
2007202831.tif 000007
【図６】
2007202831.tif 000008
【図７】
2007202831.tif 000009
【図８】
2007202831.tif 000010
【図９】
2007202831.tif 000011
【図１０】
2007202831.tif 000012
【図１１】
2007202831.tif 000013